(57)【要約】【課題】紙幣通路異物検出装置を提供する。【解決手段】  紙幣試験機中に設置され、該紙幣試験機の紙幣通路１６内に異物が存在するか否かを検出することに用い、そのうち、該紙幣通路１６は、上側１６１、底側１６２、左右相対する第１側１６３及び第２側１６４を有し、該紙幣通路異物検出装置２０は、レーザ光源２２と、第１光センサ２４と、第２光センサ２６を含み、該第２光センサ２６は、該上側１６１及び底側１６２のいずれかに安置され、これにより、異物が該紙幣通路１６に存在する時、該第１光センサ２４が受ける同調性レーザビームの強度が該異物の遮蔽を受け、減弱し、同時に該第２光センサ２６が該異物を経て反射、屈折、回折又は散乱のいずれかを経た同調性レーザビームの一部を検出する。【選択図】図１
2011002939.tif 000002
【特許請求の範囲】
【請求項１】
紙幣試験機中に設置され、該紙幣試験機の紙幣通路１６内に異物が存在するか否かを検出することに用い、そのうち、該紙幣通路１６は、上側１６１、底側１６２、左右相対する第１側１６３及び第２側１６４を有し、
該紙幣通路異物検出装置２０は、レーザ光源２２と、第１光センサ２４と、第２光センサ２６を含み、
該レーザ光源２２は、該第１側１６３に安置され、該第２側１６４へ同調性レーザビームを発射することに用い、
該第１光センサ２４は、該第２側１６４に安置され、該同調性レーザビームを受けて、該同調性レーザビームの強度を判断することに用い、
該第２光センサ２６は、該上側１６１及び底側１６２のいずれかに安置され、これにより、異物が該紙幣通路１６に存在する時、該第１光センサ２４が受ける同調性レーザビームの強度が該異物の遮蔽を受け、減弱し、同時に該第２光センサ２６が該異物を経て反射、屈折、回折又は散乱のいずれかを経た同調性レーザビームの一部を検出する紙幣通路異物検出装置２０。
【請求項２】
前記第２センサ２６は、レンズ組２６４及び回路板２６５上に安置され、該レンズ組２６４を経て該同調性レーザビームの一部を受ける複数の光センサチップ２６６を含む請求項１記載の紙幣通路異物検出装置２０。
【請求項３】
前記上側１６１及び底側１６２のもう一方に安置される第３光センサ５０を更に含む請求項１記載の紙幣通路異物検出装置２０。
【請求項４】
前記第３光センサ５０は、レンズ組２６４及び回路板２６５に安置され、該レンズ組２６４を経て該同調性レーザビームの一部を受ける複数の光センサチップ２６５を含む請求項３記載の紙幣通路異物検出装置２０。
【請求項５】
前記レーザ光源２２が発する同調性レーザビームは、反射鏡６０の反射により該第２側１６４へ発射される請求項１記載の紙幣通路異物検出装置２０。
【請求項６】
前記反射鏡６０がプリズムである請求項５記載の紙幣通路異物検出装置２０。
【請求項７】
前記第１光センサ２４は、反射鏡６０の反射によって該同調性レーザビームを受ける請求項１記載の紙幣通路異物検出装置２０。
【請求項８】
前記反射鏡６０がプリズムである請求項７記載の紙幣通路異物検出装置２０。
【請求項９】
前記レーザ光源２２がレーザダイオードである請求項１記載の紙幣通路異物検出装置２０。
【請求項１０】
紙幣試験機中に設置され、該紙幣試験機の紙幣通路１６内に異物が存在するか否かを検出することに用い、そのうち、該紙幣通路１６は、上側１６１、底側１６２、左右相対する第１側１６３及び第２側１６４を有し、
該紙幣通路異物検出装置２０は、レーザ光源２２と、反射器７０と、第１光センサ２４と、第２光センサ２６を含み、
該レーザ光源２２は、該第１側１６３に安置され、該第２側１６４へ同調性レーザビームを発射することに用い、
該反射器７０は、該第２側１６４に安置され、該同調性レーザビームを受け、該同調性レーザビームを該第１側１６３に反射することに用い、
第１光センサ２４は、該第１側１６３に安置され、反射器７０が反射した該同調性レーザビームを受けて、該同調性レーザビームの強度を判断することに用い、
該第２光センサ２６は、該上側１６１及び底側１６２のいずれかに安置され、これにより、異物が該紙幣通路１６に存在する時、該第１光センサ２４が受ける同調性レーザビームの強度が該異物の遮蔽を受け、減弱し、同時に該第２光センサ２６が該異物を経て反射、屈折、回折又は散乱のいずれかを経た同調性レーザビームの一部を検出する紙幣通路異物検出装置２０。
【請求項１１】
前記第２センサ２６は、レンズ組２６４及び回路板２６５上に安置され、該レンズ組２６４を経て該同調性レーザビームの一部を受ける複数の光センサチップ２６６を含む請求項１０記載の紙幣通路異物検出装置２０。
【請求項１２】
前記上側１６１及び底側１６２のもう一方に安置される第３光センサ５０を更に含む請求項１０記載の紙幣通路異物検出装置２０。
【請求項１３】
前記第３光センサ５０は、レンズ組２６４及び回路板２６５に安置され、該レンズ組２６４を経て該同調性レーザビームの一部を受ける複数の光センサチップ２６６を含む請求項１２記載の紙幣通路異物検出装置２０。
【請求項１４】
前記レーザ光源２２が発する同調性レーザビームは、反射鏡６０の反射により該第２側１６４へ発射される請求項１０記載の紙幣通路異物検出装置。
【請求項１５】
前記反射鏡６０がプリズムである請求項１４記載の紙幣通路異物検出装置２０。
【請求項１６】
前記第１光センサ２４は、反射鏡６０の反射によって該同調性レーザビームを受ける請求項１０記載の紙幣通路異物検出装置２０。
【請求項１７】
前記反射鏡６０がプリズムである請求項１６記載の紙幣通路異物検出装置２０。
【請求項１８】
前記レーザ光源２２がレーザダイオードである請求項１０記載の紙幣通路異物検出装置２０。
【請求項１９】
前記反射器７０がプリズムである請求項１０記載の紙幣通路異物検出装置２０。
【発明の詳細な説明】
【技術分野】
【０００１】
本発明は、検出装置に関し、紙幣通路に使用する異物検出装置に関する。
【背景技術】
【０００２】
科学技術の発展により、現代人は、より迅速及び便利性を求めるようになっているので、多くの公共場所に自動化交易機器、例えば、コイン両替又は紙幣両替、自動販売機、券売機、ＡＴＭが設置されている。しかしながら、上記機器は、無人管理の場所に常設されているので、防犯のため、上記の自動化交易機器は、常に紙幣の真偽を識別する紙幣識別システム、及び不当な使用者が機器内部の紙幣を盗み取ることを防止する防犯装置を設置している。
【０００３】
そのうち、よく見られる紙幣盗み取りの方法は、細い線を紙幣上に貼り付ける方法であり、紙幣が交易機器の紙幣通路内を通過し、真偽識別後、システムが該データを有効データとみなし、サーバーに記録される時、不当な使用者が該細い線を外向きに引き、挿入された紙幣を引き出すものであり、俗称される紙幣釣りというものである。機器が紙幣通路内に異物検出装置を設ければ、紙幣後方に細い線等の異物が接続しているか否かを検出でき、第１時間に相応する装置により細い線を切断、又は電源をオフにし、不当な使用者が紙幣を機器内から引き出すことを防止することができる。
【０００４】
現在市場の異物検出装置は、ほとんどが紙幣挿入口及び銭箱の間の紙幣通路中に設置され、発光ダイオードを光源として利用し、紙幣が紙幣通路を通過した後に光線を発し、紙幣通路を照射し、該発光ダイオードに対応する光センサにより発光ダイオードが発する光線が異物により遮断されていないかを検出し、紙幣通路中に異物が存在するかを判断している。
【０００５】
しかしながら、現有の異物検出装置は、一定の解析度の制限を受け、線の径が極小な細い線の存在を効率的に検出することができない。従って、これらの悪事の発生を根絶やしにするために、更に解析度の極限を向上した異物検出装置が必要である。
【先行技術文献】
【特許文献】
【０００６】
【特許文献１】特開２０００−３１９５５９号公報
【発明の概要】
【発明が解決しようとする課題】
【０００７】
本発明の目的は、良好な解析度を有し、より小さな線径の細い線等の異物の存在を検出できる紙幣通路異物検出装置を提供することにある。
【課題を解決するための手段】
【０００８】
本発明の紙幣通路異物検出装置は、紙幣試験機中に設置され、該紙幣試験機の紙幣通路内に異物が存在するか否かを検出することに用い、そのうち、該紙幣通路は、上側、底側、左右相対する第１側及び第２側を有する。該紙幣通路異物検出装置は、レーザ光源と、第１光センサと、第２光センサを含む。該レーザ光源は、該第１側に安置され、該第２側へ同調性レーザビームを発射することに用いる。該第１光センサは、該第２側に安置され、該同調性レーザビームを受けて、該同調性レーザビームの強度を判断することに用いる。該第２光センサは、該上側及び底側のいずれかに安置され、これにより、異物が該紙幣通路に存在する時、該第１光センサが受ける同調性レーザビームの強度が該異物の遮蔽を受け、減弱し、同時に該第２光センサが該異物を経て反射、屈折、回折又は散乱のいずれかを経た同調性レーザビームの一部を検出する。
【０００９】
本発明のもう１つの紙幣通路異物検出装置は、紙幣試験機中に設置され、該紙幣試験機の紙幣通路内に異物が存在するか否かを検出することに用いられ、そのうち、該紙幣通路は、上側、底側、及び左右相対する第１側及び第２側を有する。該紙幣通路異物検出装置は、反射器と、第１光センサと、第２光センサを含む。該レーザ光源は、該第１側に安置され、該第２側へ同調性レーザビームを発射することに用いる。該反射器は、該第２側に安置され、該同調性レーザビームを受けて、該同調性レーザビームを該第１側に反射することに用いる。該第１光センサは、該第１側に安置され、反射器が反射した該同調性レーザビームを受信し、該同調性レーザビームの強度を判断することに用いる。該第２光センサは、該上側及び底側のいずれかに安置され、これにより、異物が該紙幣通路に存在する時、該第１光センサが受ける同調性レーザビームの強度が該異物の遮蔽を受け、減弱し、同時に該第２光センサが該異物を経て反射、屈折、回折又は散乱のいずれかを経た同調性レーザビームの一部を検出する。
【００１０】
本発明は下記の特徴を有する。
（１）紙幣試験機中に設置され、該紙幣試験機の紙幣通路１６内に異物が存在するか否かを検出することに用い、そのうち、該紙幣通路１６は、上側１６１、底側１６２、左右相対する第１側１６３及び第２側１６４を有し、
該紙幣通路異物検出装置２０は、レーザ光源２２と、第１光センサ２４と、第２光センサ２６を含み、
該レーザ光源２２は、該第１側１６３に安置され、該第２側１６４へ同調性レーザビームを発射することに用い、
該第１光センサ２４は、該第２側１６４に安置され、該同調性レーザビームを受けて、該同調性レーザビームの強度を判断することに用い、
該第２光センサ２６は、該上側１６１及び底側１６２のいずれかに安置され、これにより、異物が該紙幣通路１６に存在する時、該第１光センサ２４が受ける同調性レーザビームの強度が該異物の遮蔽を受け、減弱し、同時に該第２光センサ２６が該異物を経て反射、屈折、回折又は散乱のいずれかを経た同調性レーザビームの一部を検出する紙幣通路異物検出装置２０。
（２）前記第２センサ２６は、レンズ組２６４及び回路板２６５上に安置され、該レンズ組２６４を経て該同調性レーザビームの一部を受ける複数の光センサチップ２６６を含む（１）記載の紙幣通路異物検出装置２０。
（３）前記上側１６１及び底側１６２のもう一方に安置される第３光センサ５０を更に含む（１）記載の紙幣通路異物検出装置２０。
（４）前記第３光センサ５０は、レンズ組２６４及び回路板２６５に安置され、該レンズ組２６４を経て該同調性レーザビームの一部を受ける複数の光センサチップ２６５を含む（３）記載の紙幣通路異物検出装置２０。
（５）前記レーザ光源２２が発する同調性レーザビームは、反射鏡６０の反射により該第２側１６４へ発射される（１）記載の紙幣通路異物検出装置２０。
（６）前記反射鏡６０がプリズムである（５）記載の紙幣通路異物検出装置２０。
（７）前記第１光センサ２４は、反射鏡６０の反射によって該同調性レーザビームを受ける（１）記載の紙幣通路異物検出装置２０。
（８）前記反射鏡６０がプリズムである（７）記載の紙幣通路異物検出装置２０。
（９）前記レーザ光源２２がレーザダイオードである（１）記載の紙幣通路異物検出装置２０。
（１０）紙幣試験機中に設置され、該紙幣試験機の紙幣通路１６内に異物が存在するか否かを検出することに用い、そのうち、該紙幣通路１６は、上側１６１、底側１６２、左右相対する第１側１６３及び第２側１６４を有し、
該紙幣通路異物検出装置２０は、レーザ光源２２と、反射器７０と、第１光センサ２４と、第２光センサ２６を含み、
該レーザ光源２２は、該第１側１６３に安置され、該第２側１６４へ同調性レーザビームを発射することに用い、
該反射器７０は、該第２側１６４に安置され、該同調性レーザビームを受け、該同調性レーザビームを該第１側１６３に反射することに用い、
第１光センサ２４は、該第１側１６３に安置され、反射器７０が反射した該同調性レーザビームを受けて、該同調性レーザビームの強度を判断することに用い、
該第２光センサ２６は、該上側１６１及び底側１６２のいずれかに安置され、これにより、異物が該紙幣通路１６に存在する時、該第１光センサ２４が受ける同調性レーザビームの強度が該異物の遮蔽を受け、減弱し、同時に該第２光センサ２６が該異物を経て反射、屈折、回折又は散乱のいずれかを経た同調性レーザビームの一部を検出する紙幣通路異物検出装置２０。
（１１）前記第２センサ２６は、レンズ組２６４及び回路板２６５上に安置され、該レンズ組２６４を経て該同調性レーザビームの一部を受ける複数の光センサチップ２６６を含む（１０）記載の紙幣通路異物検出装置２０。
（１２）前記上側１６１及び底側１６２のもう一方に安置される第３光センサ５０を更に含む（１０）記載の紙幣通路異物検出装置２０。
（１３）前記第３光センサ５０は、レンズ組２６４及び回路板２６５に安置され、該レンズ組２６４を経て該同調性レーザビームの一部を受ける複数の光センサチップ２６６を含む（１２）記載の紙幣通路異物検出装置２０。
（１４）前記レーザ光源２２が発する同調性レーザビームは、反射鏡６０の反射により該第２側１６４へ発射される（１０）記載の紙幣通路異物検出装置。
（１５）前記反射鏡６０がプリズムである（１４）記載の紙幣通路異物検出装置２０。
（１６）前記第１光センサ２４は、反射鏡６０の反射によって該同調性レーザビームを受ける（１０）記載の紙幣通路異物検出装置２０。
（１７）前記反射鏡６０がプリズムである（１６）記載の紙幣通路異物検出装置２０。
（１８）前記レーザ光源２２がレーザダイオードである（１０）記載の紙幣通路異物検出装置２０。
（１９）前記反射器７０がプリズムである（１０）記載の紙幣通路異物検出装置２０。
【発明の効果】
【００１１】
本発明の紙幣通路異物検出装置は、同調性レーザビーム３０を発することができるレーザ光源２２を異物検出する光源とし、下ソケットの第２光センサ又は上ソケットの第３光検出器に安置し、検出の全体の解析度を効率的に向上し、極小線径の細線等の異物の存在を検出し、この種の紙幣釣りの発生を防止し、本発明の目的を確実に達成することができる。
【図面の簡単な説明】
【００１２】
【図１】本発明の紙幣通路異物検出装置の第１好適実施例の分解図である。
【図２】上記第１好適実施例の紙幣通路異物検出装置の細部分解図である。
【図３】上記第１好適実施例の紙幣通路異物検出装置の俯瞰説明図である。
【図４】上記第１好適実施例の紙幣通路異物検出装置の側面説明図である。
【図５】本発明の第２好適実施例の紙幣通路異物検出装置の側面説明図である。
【図６】本発明の第３好適実施例の紙幣通路異物検出装置の側面説明図である。
【図７】本発明の第４好適実施例の紙幣通路異物検出装置の側面説明図である。
【図８】本発明の第５好適実施例の紙幣通路異物検出装置の側面説明図である。
【図９】本発明の第６好適実施例の紙幣通路異物検出装置の側面説明図である。
【図１０】本発明の第７好適実施例の紙幣通路異物検出装置の側面説明図である。
【図１１】本発明の第８好適実施例の紙幣通路異物検出装置の側面説明図である。
【図１２】本発明の第９好適実施例の紙幣通路異物検出装置の側面説明図である。
【発明を実施するための形態】
【００１３】
図１及び図２は、それぞれ本発明の紙幣通路異物検出装置の分解図及び細部分解図である。該紙幣通路異物検出装置は、自動化交易機器の紙幣試験機中に設置され、使用者が紙幣試験機に送入した紙幣１００が細線等の異物が接続していないかを検出することに用い、該細線の種類は、シルク糸、麻糸、綿糸等の不透明な細線、又は釣り糸等の透明な細線である。
【００１４】
該紙幣試験機は、上ソケット１０と、下ソケット１２と、紙幣通路異物検出装置２０と、を含む。そのうち、該上ソケット１０と下ソケット１２は相互に接合し、１つの紙幣入口１４、及び該紙幣入口１４が内向きに延伸し、該紙幣１００を通過させることに用いる紙幣通路１６を境界付けする。該紙幣通路１６は、上側１６１、底側１６２、左右相対する第１側１６３及び第２側１６４を有する。該紙幣通路１６の後端は、紙幣１００を保存することに用いる保存装置（図示せず）を接続させる。
【００１５】
該上ソケット１０と該下ソケット１２は、相対する複数のローラユニット１８をそれぞれ内設し、該ローラユニット１８は、該紙幣入口１４から送入した紙幣１００を導引することに用い、紙幣１００を円滑に紙幣通路１６間に伝送可能にすることに用いる。
該紙幣通路異物検出装置２０は、レーザ光源２２、第１光センサ２４と、第２光センサ２６と、第３光センサ５０を含む。
【００１６】
該レーザ光源２２は、該紙幣通路１６の該第１側１６３に設置され、螺子を利用して該下ソケット１２に固定し、異物検出に必要な同調性レーザビームを提供することに用いる。該第１光センサ２４は、該紙幣通路１６に設置され、且つ該レーザ光源２２の該第２側１６４に対向し、該同調性レーザビームを受けて、該同調性レーザビームの強度を判断することに用い、該第２光センサ２６は、該下ソケット１２、即ち該紙幣通路１６の底側１６２に設置される。該第３光センサ５０は、該上ソケット１０、即ち、該紙幣通路１６の上側１６１に設置される。
【００１７】
該第２光センサ２６は、透明上蓋２６２と、レンズ組２６４と、回路板２６５上に安置される複数の光センサチップ２６６と、を含み、紙幣通路１６中にビームを検出することに用いる。該第３光センサ５０の構成及びその構成要素は、該第２光センサ２６と同一であり、光センサ要素（Photosensor）と、線形センサ要素（linear sensor）、光ダイオード（Photo diode）、又は接触式イメージセンサ（Contact Image Sensor）であることができる。
【００１８】
図２、図３、図４を参照し、図３、図４は、本発明の紙幣通路異物検出装置の上面、側面説明図である。該レーザ光源２２は、同調性レーザビーム３０を発することができ、該同調性レーザビーム３０は、該紙幣通路１６を通過し、該第１光センサ２４に伝送される。注意すべきことは、該同調性レーザビーム３０は、良好な同調性及び直線性を有し、遮蔽を受けない状況において、該第１光センサ２４に直線的に伝送され、発散しないので、該第２センサ２６又は第３センサ５０は、該同調性レーザビーム３０をセンサしないということである。
【００１９】
実際操作時、使用者は、該紙幣入口１４から紙幣１００を送入し、紙幣１００は、該ローラユニット１８の導引を経て該紙幣通路１６を通過する。紙幣１００が通過した後、紙幣通路１６中に異物がない場合、該第１光センサ２２は、安定した光強度を検出することができ、該第２光センサ２６又は第３センサ５０は、如何なるビームもセンサしない。
【００２０】
但し、該紙幣１００は、細線４０等の異物を貼付している時、該紙幣１００が該紙幣通路１６を通過した後、該細線４０は、該紙幣通路１６中に存在し、この時、該レーザ光源２２が発する同調性ビーム３０は、該細線４０により遮蔽され、この時該第１光センサ２２が受ける光強度が減弱する。
【００２１】
一方で、細線４０は、不透明である状況において、該同調性レーザビーム３０は、反射、回折又は散乱の少なくとも１つの形式で下ソケット１２の第２光センサ２６及び上ソケット１０の第３光センサ５０に到達する。細線４０は、透明な状況において、該同調性レーザ光線３０は、反射、屈折、回折又は散乱の少なくとも１つの形式で下フレーム１２の第２光センサ２６及び上フレーム１０の第３光センサ５０に到達する。
【００２２】
該第１光センサ２４がセンサした光強度が減弱し、該第２光センサ２６及び第３光センサ５０の少なくとも１つがビームを検出した時、該紙幣通路１６中に異物が存在すると判断することができる。
【００２３】
説明すべきことは、本実施例中、該第２光センサ２６と該第３光センサ５０を同時に設置しているが、実際の実施時は、該第２光センサ２６及び該第３光センサ５０のうちの１つを設置するだけでもよく、本発明の効果を達成することができる。
【００２４】
図５及び図６は、それぞれ本発明の紙幣通路異物検出装置の第２及び第３好適実施例の側面説明図であり、該第１好適な実施例とほぼ同一である。異なる箇所は、更に反射鏡６０を使用し、該同調性レーザビーム３０の経路を変化させ、本発明の該紙幣通路異物検出装置が異なる形態の自動化交易機器に適用することができるようにする。図７、図８は、それぞれ本発明の異物検出装置の第４、第５好適実施例の側面説明図であり、該第３好適実施例とほぼ同一である。異なる箇所は、２つの反射鏡６０を使用し、更に該同調性レーザビーム３０の経路を変化させ、該紙幣通路異物検出装置に異なる形態の自動化交易機器に適用可能にする。該反射鏡６０は、プリズムであることができる。
【００２５】
図９は、本発明の紙幣通路異物検出装置の第６好適実施例の俯瞰説明図である。第１好適実施例とほぼ同一であり、異なる箇所は、該レーザ光源２２と該第１光センサ２４が該第１側１６３に同様に安置され、該第２側１６４に同調性レーザビーム３０を発射することに用いる。
【００２６】
また、本好適実施例は、更に反射器７０を含み、該第２側１６４に安置し、該同調性レーザビーム３０を受けることに用い、該同調性レーザビーム３０を該第１側１６４に反射し、且つ該第１側１６３に安置した該第１光センサ２４は、反射が反射した該同調性レーザビーム３０を受け、該同調性レーザビーム３０の強度を判断することに用いる。該反射器７０は、プリズムであることができる。
【００２７】
図１０、図１１及び図１２は、それぞれ本発明の紙幣通路異物検出装置の第７、第８、第９好適実施例の説明図であり、該第６好適実施例とほぼ同一である。異なる箇所は、少なくとも１つの反射鏡６０を使用し、該同調性レーザビーム３０の経路を変化させ、本発明の該紙幣通路異物検出装置が異なる形態の自動化交易機器に適用可能にする。該反射鏡６０は、プリズムであることができる。
【００２８】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００２９】
１０  上ソケット
１２  下ソケット
１４  紙幣入口
１６  紙幣通路
１６１  上側
１６２  底側
１６３  第１側
１６４  第２側
１８  ローラユニット
１００  紙幣
２０  紙幣通路異物検出装置
２２  レーザ光源
２４  第１光センサ
２６  第２光センサ
２６２  透明上蓋
２６４  レンズ組
２６５  回路板
２６６  光センサチップ
３０  ビーム
４０  細線
５０  第３光センサ
６０  反射鏡
７０  反射器
【図３】
2011002939.tif 000003
【図４】
2011002939.tif 000004
【図５】
2011002939.tif 000005
【図６】
2011002939.tif 000006
【図７】
2011002939.tif 000007
【図８】
2011002939.tif 000008
【図９】
2011002939.tif 000009
【図１０】
2011002939.tif 000010
【図１１】
2011002939.tif 000011
【図１２】
2011002939.tif 000012
【図１】
2011002939.tif 000013
【図２】
2011002939.tif 000014